(57)【要約】【課題】乗客に安心感を与えるエレベーターかご内通話制御システムを提供。【解決手段】インターネット回線７の使用が不能となり、状態監視機能２にてエレベーターが故障状態と判断された場合、エレベーターかご３，１３，２３内に設けられ、複数台のエレベーターの通信接続用に設けられ、同一ＬＡＮ５，１５，２５内に配設される他のエレベーター通話装置４，１４，２４との通話を選択する通話先選択ボタン１０，２０，３０と、通話先選択ボタン１０，２０，３０で選択された相手のエレベーターとの通話信号及び映像信号を送信するエレベーターかご間通信装置４６とを備えたものである。【選択図】図１
2010058925.tif 000002
【特許請求の範囲】
【請求項１】
複数台のエレベーターの状態監視機能を備え、エレベーターかご内に設置される通話装置からかご外部に音声信号をデジタル信号化して通信するとともに、かご内に設けた映像出力装置に表示するカメラで撮影した映像信号をデジタル信号化し、これら音声信号や映像信号をインターネット回線を利用して遠隔地にある監視センターヘ伝送可能な通信機能を有するエレベーターかご内通話制御システムにおいて、
前記インターネット回線の使用が不能となり、前記状態監視機能にてエレベーターが故障状態と判断された場合、
エレベーターかご内に設けられ、前記複数台のエレベーターの通信接続用に設けられ、同一ＬＡＮ内に配設される他のエレベーター通話装置との通話を選択する通話先選択ボタンと、
この通話先選択ボタンで選択された相手のエレベーターとの通話信号及び映像信号を送信するエレベーターかご間通信装置とを備えたことを特徴とするエレベーターかご内通話制御システム。
【発明の詳細な説明】
【技術分野】
【０００１】
本発明は、エレベーターかご内通話制御システムに係り、建物外への通報が不能となったときに好適なエレベーターかご内通話制御システムに関する。
【背景技術】
【０００２】
エレベーターの乗りかごには、かご外部との通話を可能にする通話装置が設置されており、閉じ込め時などの異常発生時には、かご外部との通話を可能としている。
【０００３】
また、エレベーターの異常を監視するシステムと連携し、エレベーター管理会社等との通話（相互通信）を行うことができ、乗客に安心感を与えることなどの効果がある（特許文献１参照）。
【０００４】
しかし、大規模災害時などにおいて、電話回線等の通信設備の故障や破損によりエレベーターが設置された建物の外部との通信が不可能となった場合には、上記の通話を行うことができない問題もある。
【特許文献１】特開平７−２５７８４２号公報
【発明の開示】
【発明が解決しようとする課題】
【０００５】
上記従来技術は、監視センターなどの電話回線を経由し外部への通話を可能としているが、電話回線等に異常がある場合は監視センターヘの通話ができないシステムとなっている。また、建物内部の他のエレベーターのかごに対しても同様に通話ができないため、建物内部の通信機器が正常である場合においても通話ができない。
【０００６】
本発明の目的は、乗客に安心感を与えるエレベーターかご内通話制御システムを提供することにある。
【課題を解決するための手段】
【０００７】
上記目的を達成するために、複数台のエレベーターの状態監視機能を備え、エレベーターかご内に設置される通話装置からかご外部に音声信号をデジタル信号化して通信するとともに、かご内に設けた映像出力装置に表示するカメラで撮影した映像信号をデジタル信号化し、これら音声信号や映像信号をインターネット回線を利用して遠隔地にある監視センターヘ伝送可能な通信機能を有するエレベーターかご内通話制御システムにおいて、前記インターネット回線の使用が不能となり、前記状態監視機能にてエレベーターが故障状態と判断された場合、エレベーターかご内に設けられ、前記複数台のエレベーターの通信接続用に設けられ、同一ＬＡＮ内に配設される他のエレベーター通話装置との通話を選択する通話先選択ボタンと、この通話先選択ボタンで選択された相手のエレベーターとの通話信号及び映像信号を送信するエレベーターかご間通信装置とを備えたものである。
【発明の効果】
【０００８】
本発明によれば、外部との通話が不能の状態のとき、同一ＬＡＮ内に接続されるエレベーターかご間の相互通話やお互いの画像表示を可能としたので、閉じ込めが発生しても乗客に安心感を与えることができる。
【発明を実施するための最良の形態】
【０００９】
以下、本発明によるエレベーターかご内通話制御システムについて、図示の実施の形態により詳細に説明する。
【００１０】
ここで、図１は本発明の一実施形態を示すシステム構成図で、図２はこの実施形態の動作を説明する発信側フローチャートで、図３はこの実施形態の動作を説明する受信側フローチャートで、図４はこの実施形態のフローチャートにおいて動作する装置及び処理のブロック図を示し、図５は通話先選択ボタンと登録された相手エレベーターのLANコントローラのMACアドレス関連データを示す。
【００１１】
ここで、図４における４０は通話要求元であり、４８は通話先を示し、図1の選択ボタン１０は、図４の選択ボタン４１と同義であり通話要求元とし、通話先４８は応答通話（返信）をする場合は送信側となるので、４０内に示す各処理を行うものである。
【００１２】
図において、エレベーター監視装置２は、エレベーター制御装置１と接続されエレベーターの動作状態を判定可能とする。またエレベーター監視装置２はＬＡＮコントローラ５を備えルーター６を介しインターネット回線７を経由しエレベーター監視センター８へ接続され、かご内インターホン４，１４，２４と通話が可能とする。
【００１３】
ボタン１０，２０，３０は通話先選択ボタンであり、通話要求を行うインターホンボタン１０ａはかご３，１３，２３に設置されているが便宜上１０ａのみ表示する。
【００１４】
次に、本一実施形態の動作の説明を図２，図３のフローチャートを用いて説明する。
【００１５】
インターホンボタン１０ａが押された（Ｓ１）後、エレベーター制御装置１の情報によりエレベーター監視装置２が異常発生し閉じ込め状態であることを判断し、且つエレベーター監視センター８への接続ができないと判断した場合（Ｓ２）、同一ＬＡＮ内のエレベーターのかご３，１３，２３を通話対象に選択する。ここで、Ｓ２の判断によりエレベーターが故障でない場合、エレベーター監視センター８などへ通話が可能である場合は、かご間での通話機能を動作させない。
【００１６】
かご間通話機能を動作した場合、通話先選択ボタン１０，４１の状態を制御装置４６が判断し、図５に示した選択ボタンとＭＡＣアドレスの関連表から通話先となるＭＡＣアドレスを抽出する（Ｓ３）。
【００１７】
インターホンからの音声はＶｏＩＰに基づき４４にてデジタル化され（Ｓ４）、同様にかご内カメラ９，４３からの映像は４５にて所定のデジタル化（Ｓ５））された信号となり制御装置４６に入力される。制御装置４６及びＬＡＮコントローラ４７によりＳ４，Ｓ５にて生成されたＩＰパケットをＳ３にて選択されたＭＡＣアドレスを元にイーサネットフレーム（「イーサネット」は登録商標）を生成しＬＡＮ伝送路５６へ発信する（Ｓ６）。
【００１８】
ＬＡＮ伝送路５６から上記イーサネットフレームを受信した（Ｓ１１）他のＬＡＮコントローラ４９（及び１５又は２５）、及び制御装置５０は自分宛のイーサネットフレームか判断し（Ｓ１２）自分宛である場合は送信元の判定を行う（Ｓ１３）。ここで複数の相手からの通話要求を受けたことを受信側制御装置５０が判断した場合、応答通話送信時にはＳ２の処理にてブロードキャスト仕様（図５の選択ボタンなしの状態）を自動的に選択する。
【００１９】
受信したイーサネットフレームから音声、及び映像のＩＰパケットデータを抽出し５１、及び５３にて復号処理を行い、音声をインターホン５２（１４又は２４）に出力し映像を表示装置５４（１９又は２９）に出力する。
【００２０】
複数の通信相手がある，場合の映像出力は、受信側選択ボタン５５によって示される映像情報とし、受信側で選択ボタン５５が押されていない場合は、最初に受信したイーサネットフレームの送信先の映像情報を表示する。
【図面の簡単な説明】
【００２１】
【図１】本発明のエレベーターかご内通話制御システムのシステム構成図である。
【図２】本発明の一実施形態による発信側動作を説明するフローチャートである。
【図３】本発明の一実施形態による受信側動作を説明するフローチャートである。
【図４】本発明の一実施形態を示すブロック図である。
【図５】本発明の一実施形態による送信先選択に用いる情報テーブルを示す図である。
【符号の説明】
【００２２】
１，１１，２１  制御装置
２，１２，２２  監視装置
３，１３，２３  乗りかご
４，１４，２４  かご内インターホン
５，１５，２５  監視装置に備えられたＬＡＮコントローラ
６  ルーター
７  ブロードバンドインターネット回線網
８  エレベーター監視センター
９，１９，２９  かご内表示装置及びカメラ
１０，２０，３０  通話先選択ボタン
１０ａ  インターホン通話要求ボタン
【図１】
2010058925.tif 000003
【図２】
2010058925.tif 000004
【図３】
2010058925.tif 000005
【図４】
2010058925.tif 000006
【図５】
2010058925.tif 000007